(57)【特許請求の範囲】
【請求項１】
コンピュータネットワークに接続された複数のデータ出力手段を有するデータ出力制御システムであって、
複数の上記データ出力手段のうちから第１のデータ出力先および第２のデータ出力先を予め設定するデータ出力先設定手段と、
該データ出力先設定手段の設定内容を記憶するデータ出力先記憶手段と、
データ出力指示を受けると上記第１のデータ出力先にデータを出力した後、データ出力を一旦停止し、その後に再びデータ出力指示を受けると上記第２のデータ出力先にデータを出力するデータ出力先制御手段と
を有し、
上記データ出力先記憶手段は、第１のデータ出力先と第２のデータ出力先との組を複数組記憶するとともに、これら複数組のデータ出力先の組の一つを選択する出力先選択手段を備えることを特徴とするデータ出力制御システム。
【請求項２】
データ出力の上記一旦停止の際に、第２のデータ出力先に関する設定が可能であることを特徴とする請求項１に記載のデータ出力制御システム。
【請求項３】
上記データ出力先設定手段は、上記第１のデータ出力先と第２のデータ出力先として同一のデータ出力手段が設定可能であることを特徴とする請求項１または２に記載のデータ出力制御システム。
【請求項４】
上記データ出力先設定手段は、第２のデータ出力先として複数のデータ出力手段が設定可能であることを特徴とする請求項１から３のいずれか１つに記載のデータ出力制御システム。
【請求項５】
上記データ出力先制御手段は、データ出力の上記一旦停止の際に、以後のデータ出力動作がキャンセル可能であることを特徴とする請求項１から４のいずれか１つに記載のデータ出力制御システム。
【請求項６】
上記データ出力先制御手段は、データ出力の上記一旦停止の際に、出力するデータの修正が可能であることを特徴とする請求項１から５のいずれか１つに記載のデータ出力制御システム。
【発明の詳細な説明】
【０００１】
【発明の属する技術分野】
本発明はデータ出力制御システムに関し、より詳しくは、コンピュータネットワークに接続された複写機やファックス、プリンタ複合機などの複数のデータ出力装置にデータを出力するデータ出力制御システムに関する。
【０００２】
【従来の技術】
一般に、一つの施設内で使用されている複数のコンピュータがコンピュータネットワークにより相互に接続されている環境では、複写機やファックス、プリンタ複合機等の出力機器も上記コンピュータネットワークに接続され、これら出力機器は、コンピュータネットワークに接続されている各コンピュータに共有される共通の出力機器として機能している。
【０００３】
このようなコンピュータネットワーク環境において、一つのコンピュータで文書を作成し、それをプリンタでプリントアウトして配布したりファックスで施設外に配信するようなときには、従来より、ユーザは次のような一連の作業を実行していた。すなわち、ユーザは自席のコンピュータで文書を作成すると、それを１部プリントアウトしてチェックする（試し出力）。その結果、作成した文書が所期のもので問題がないと判断すると、文書を必要な部数プリントアウトする（本番出力）。また、作成した上記文書を施設外に配信する必要があるときは、電子メールやファックスで送信する（配信）。
【０００４】
上記のような一連の作業を行うに際して、ユーザは試し出力と本番出力とでは別のプリンタを使用することが多い。すなわち、試し出力のときには、自席もしくは自席に近いところにあるローエンドのプリンタで１部プリントアウトしてチェックを行い、本番出力のときには自席からは遠いところにあるハイエンドの高速プリンタやカラープリンタで例えば３部プリントアウトし、さらに、施設外に配信する必要があるときは、電子メールもしくはファックスにより施設外の１名乃至は複数名に配信を行う。
【０００５】
【発明が解決しようとする課題】
ところで、上記のようなコンピュータネットワーク環境において、作成した文書をプリントアウトしたり外部に配信する際には、ユーザは試し出力、本番出力および作成した文書の施設外への配信という各段階毎に、コンピュータネットワークに接続されている出力機器を一々選択し直さなければならず、データ出力作業に手間がかかり、効率が悪いという問題があった。
【０００６】
本発明の目的は、作成したデータの出力段階で必要とするユーザの出力機器の選択作業の負担を軽減するとともに、データ出力作業の効率化を図ったデータ出力制御システムを提供することである。
【０００７】
【課題を解決するための手段および作用】
上記目的を達成するために、請求項１に係る発明は、コンピュータネットワークに接続された複数のデータ出力手段を有するデータ出力制御システムであって、
複数の上記データ出力手段のうちから第１のデータ出力先および第２のデータ出力先を予め設定するデータ出力先設定手段と、
該データ出力先設定手段の設定内容を記憶するデータ出力先記憶手段と、
データ出力指示を受けると上記第１のデータ出力先にデータを出力した後、データ出力を一旦停止し、その後に再びデータ出力指示を受けると上記第２のデータ出力先にデータを出力するデータ出力先制御手段とを有し、
上記データ出力先記憶手段は、第１のデータ出力先と第２のデータ出力先との組を複数組記憶するとともに、これら複数組のデータ出力先の組の一つを選択する出力先選択手段を備えることを特徴とする。
【０００８】
上記データ出力先制御手段は、データ出力指示を受けるとデータ出力先記憶手段に記憶された設定内容に従って、データ出力先設定手段により設定された上記第１のデータ出力先にデータを出力した後、データ出力を一旦停止する。上記データ出力先制御手段は、その後再びデータ出力指示を受けるとデータ出力先記憶手段に記憶された設定内容に従って、データ出力先設定手段により設定された上記第２のデータ出力先にデータを出力する。これにより、データの出力作業に伴う出力手段の選択が自動化され、データの出力作業の負担が軽減される。なお、ユーザは、上記データ出力先記憶手段に記憶されている第１のデータ出力先と第２のデータ出力先との組の中から、所望の第１のデータ出力先と第２のデータ出力先の組を選択することができ、最も都合のよい出力手段を選択することができる。
【０００９】
また、請求項２に係る発明は、請求項１に記載のデータ出力制御システムにおいて、データ出力の上記一旦停止の際に、第２のデータ出力先に関する設定が可能であることを特徴とする。
【００１０】
第２のデータ出力先として先に設定しておいた出力先が他のコンピュータにより使用されているときには、第１のデータ出力先にデータを出力した後のデータ出力の一旦停止の際に、改めて第２のデータ出力先を設定することができる。これにより、第２のデータ出力先へのデータ出力の待ち時間が節約される。
【００１３】
さらにまた、請求項３に係る発明は、請求項１または２に記載のデータ出力制御システムにおいて、上記データ出力先設定手段は、上記第１のデータ出力先と第２のデータ出力先として同一のデータ出力手段が設定可能であることを特徴とする。
【００１４】
同一のデータ出力手段を設定することにより、ユーザは都合のよい同じデータ出力手段を使用してデータ出力を行うことができる。
【００１５】
さらにまた、請求項４に係る発明は、請求項１から３のいずれか一に記載のデータ出力制御システムにおいて、上記データ出力先設定手段は、第２のデータ出力先として複数のデータ出力手段が設定可能であることを特徴とする。
【００１６】
第２のデータ出力先として複数のデータ出力手段が設定可能であり、ユーザがこれらデータ出力手段を選択して設定しておくことにより、コンピュータネットワーク上でユーザが予め選択したデータ出力手段からデータを取り出すことができる。
【００１７】
さらにまた、請求項５に係る発明は、請求項１から４のいずれか一に記載のデータ出力制御システムにおいて、上記データ出力先制御手段は、データ出力の上記一旦停止の際に、以後のデータ出力動作がキャンセル可能であることを特徴とする。
【００１８】
上記データ出力の一旦停止の際に、ユーザが都合により以後のデータ出力を望まないときには、以後のデータ出力動作をキャンセルすることにより、不要なデータ出力をなくすことができる。
【００１９】
さらにまた、請求項６に係る発明は、請求項１から５のいずれか一に記載のデータ出力制御システムにおいて、上記データ出力先制御手段は、データ出力の上記一旦停止の際に、出力するデータの修正が可能であることを特徴とする。
【００２０】
上記データ出力の一旦停止の際に、ユーザがデータの修正を必要とするときには、出力するデータを修正して所望のデータを出力することができる。
【００２１】
【発明の実施の形態】
以下に、図面を参照して本発明に係るデータ出力制御システムの実施の形態を説明する。
【００２２】
（１）ネットワーク環境
本発明に係るデータ出力制御システムが動作するネットワーク環境の例を図１に示す。該ネットワーク環境では、一つの施設内で使用されている複数のコンピュータＰＣ１，ＰＣ２，…がコンピュータネットワーク１により相互に接続されるとともに、出力機器ＰＴ１，ＰＴ２，…も上記コンピュータネットワーク１に接続されている。上記出力機器ＰＴ１は、例えばユーザの自席に設置されているローエンドのプリンタである。他方、上記出力機器ＰＴ２は、ユーザの自席から離れた所に設置されているハイエンドのプリンタである。上記コンピュータネットワーク１は、公衆電話回線等の通信回線２を通して、施設外のファックスなどの出力機器ＰＴ３や図示しない施設外のコンピュータ等にも接続されている。上記出力機器ＰＴ１，ＰＴ２，…は、コンピュータネットワーク１に接続されているコンピュータＰＣ１，ＰＣ２，…に共有される共通の出力機器として機能している。
【００２３】
（２）システム構成
上記ネットワーク環境で動作するデータ出力制御システムのシステム構成を図２に示す。該データ出力制御システムは、コンピュータＰＣ１、出力機器ＰＴ１，ＰＴ２およびＰＴ３により構成されている。上記出力機器ＰＴ１は図１で説明したローエンドのプリンタであり、出力機器ＰＴ２はハイエンドのプリンタであり、また、出力装置ＰＴ３はファックス装置である。上記コンピュータＰＣ１、出力機器ＰＴ１ないしＰＴ３は、図１のネットワーク１を通して相互に接続されている。
【００２４】
上記コンピュータＰＣ１は、中央処理装置１１、主記憶装置１２、入力装置１３および表示装置１４から構成されている。上記中央処理装置１１は、主記憶装置１２に格納されているシステム全体を統御するオペレーティングシステムと呼ばれている基本ソフトウエア上でデータ出力制御ソフトウエアを含む各種応用ソフトウエアのプログラムを実行し、データの出力に際して上記出力装置ＰＴ１ないしＰＴ３のうちユーザが入力装置１３により指定した出力装置にデータを出力する。
【００２５】
主記憶装置１２には、上記基本ソフトウエアや本発明に関連するデータ出力制御ソフトウエアを含む各種応用ソフトウエアが格納されている。上記主記憶装置１２はまた、中央処理装置１１が情報処理を行ううえで必要な情報、例えば出力機器ＰＴ１ないしＰＴ３にそれぞれ対応する各種出力機器情報を記憶し、必要に応じて取り出すことができるようになっている。また、ユーザが上記入力装置１３から入力した情報を登録情報として記憶し、必要に応じて取り出すことができるようになっている。
【００２６】
上記表示装置１４はＣＲＴディスプレイやＬＣＤ（液晶ディスプレイ）からなり、上記中央処理装置１１で処理された情報を、図形や文字等で表示する。また、上記入力装置１３はキーボードやマウス等からなる。ユーザは、上記入力装置１３により、中央処理装置１１に対して各種データの入力や指令を行う。
【００２７】
（３）制御フロー
図２で説明したデータ出力制御システムのデータ出力制御ソフトウエアによるデータの出力制御フローを、図３ないし図６を参照して説明する。なお、上記データ出力制御ソフトウエアは、図７に示されているように、コンピュータのオペレーティングソフトウエアのディスクトップ上にランチャー形式２２で存在し、通常の使用時では、基本操作はマウスによるドラック・アンド・ドロップを用いる。
【００２８】
＜メインルーチン＞
上記データ出力制御ソフトウエアによるデータの出力制御フローのメインフローを図３に示す。主記憶装置１２（図２参照）に格納されているデータ出力制御ソフトウエアが起動され、図３のメインフローがスタートすると、出力先が登録済みか否かが判定される（ステップＳ１）。出力先が登録済み（ステップＳ１でＹｅｓ）と判定されると、表示装置１４の表示画面には図８に示す画像が表示され（ステップＳ２）、入力待ちとなる（ステップＳ３）。また、上記ステップＳ１で出力先が登録済みでない（ステップＳ１でＮｏ）と判定されると、後に説明する新規登録ルーチン（ステップＳ５）が実行される。
【００２９】
図８の表示画面には、リストボックス２１、試し出力指示用アイコン２３、本番出力指示用アイコン２４、配信指示用アイコン２５、ステータス表示部２６、出力機器選択ボタン２７、新規登録ボタン２８、登録編集ボタン２９および管理者モードボタン３０が表示されている。該表示画面において、作成した文書ファイルのアイコンを、図８の表示画面のアイコン２３ないし２５のいずれかにドラッグ・アンド・ドロップすると、図４に示す出力ルーチン（ステップＳ４）が実行される。このとき、上記文書ファイルのアイコンがアイコン２３ないし２５の何れにドロップされるかに応じて上記出力ルーチンでの処理が異なる。また、マウスによる新規登録ボタン２８、登録編集ボタン２９に対するクリック入力があると（ステップＳ３でＹｅｓ）、クリック入力にそれぞれ対応して、図５に示す新規登録ルーチン（ステップＳ５）、図６に示す登録編集ルーチン（ステップＳ６）のいずれかが実行可能となる。
【００３０】
なお、図８に表示されている表示画面において、リストボックス２１のボタン２１ａがクリックされると、予め登録されているどの登録内容を使用するかを切り替えることができ、とくに指定しない場合には、前回使用した登録内容が選択されている。また、出力機器選択ボタン２７がクリックされると、従来と同様、任意の出力機器を選択してデータを出力することができる。
【００３１】
上記出力ルーチン（ステップＳ４）の実行が終了すると、上記データ出力制御ソフトウエアが終了する。また、上記新規登録（ステップＳ５）および登録編集（ステップ６）の実行が終了すると、再び、ステップＳ２に戻り、表示装置１４の表示画面には図８の画面が表示される。
【００３２】
＜出力ルーチン＞
図４の出力ルーチンでは、先ず、図８のリストボックス２１により選択されている登録内容を読み出す（ステップＳ１１）。そして、作成した文書ファイルのアイコンが試し出力指示用アイコン２３、本番出力指示用アイコン２４、配信指示用アイコン２５の何れにドロップされたかが判定され（ステップＳ１２）、上記文書ファイルがドロップされたアイコンの種類に応じて、「試し出力」、「本番出力」、「配信出力」のいずれかが実行される。
【００３３】
（試し出力）
上記文書ファイルのアイコンが、試し出力指示用アイコン２３にドロップされたときには、図９に示すように、表示装置１４の表示画面には図８で表示されるランチャー画面２２の上にウインドウ画面３２が表示され（ステップＳ１３）、入力待ちとなる（ステップＳ１４）。このとき、「試し出力」先として設定されている出力機器の状態がステータス表示部２６にアイコンによってグラフィカルに表示される。
【００３４】
図９に表示されるウインドウ画面３２では、部数フィールド３１、試し出力の部数を指定するテンキーＴＫ、設定内容変更ボタン３３、キャンセルボタン３４、スタートボタン３６，ストップボタン３７が表示されている。ユーザはこれらのボタンによりそれぞれ必要な設定や試し出力のスタート、ストップ等を行う。
【００３５】
ユーザが上記入力待ち（ステップＳ１４でＮｏ）の状態でスタートボタン３６をクリックする（ステップＳ１４でＹｅｓ）と、コンピュータＰＣ１で作成した文書のデータが試し出力用の出力機器ＰＴ１に出力され（ステップＳ１５）、プリントアウトが行われる。なお、ユーザが上記入力待ちの状態でステータス表示部２６に表示されている出力機器の状態などを見て出力先を変更するときには、設定内容変更ボタン３３をクリックする。これにより、図６で説明する登録編集ルーチンＳ６が実行され、出力機器の変更が行われる。また、ユーザが上記入力待ちの状態でキャンセルボタン３４をクリックすると、出力ルーチンは終了する。
【００３６】
（本番出力）
コンピュータＰＣ１で作成した文書のデータが試し出力用の出力機器ＰＴ１に出力され（ステップＳ１５）、試し出力のプリントアウトが終了すると、図１０に示すように、表示装置１４の表示画面には図８で表示されるランチャー画面２２の上にウインドウ画面３５が表示され（ステップＳ１７）、入力待ちとなる（ステップＳ１８）。このとき、「本番出力」先として設定されている出力機器ＰＴ２の状態がステータス表示部２６にグラフィカルに表示される。
【００３７】
なお、上記の「試し出力」で誤りが発見されたときには、「文書修正」をクリックすると、上記文書を作成した文書作成用のアプリケーションソフトウエアが立ち上がり、文書の修正が実行できるようになる（ステップＳ１６）。このとき、修正後の上記文書を保存して該文書作成用のアプリケーションソフトウエアを終了すると、再び図１０の表示画面に戻る。
【００３８】
上記図１０に表示されるウインドウ画面３５においても、部数フィールド３１、試し出力の部数を指定するテンキーＴＫ、設定内容変更ボタン３３、キャンセルボタン３４、スタートボタン３６，ストップボタン３７が表示されている。ユーザはこれらのボタンによりそれぞれ必要な設定や本番出力のスタート、ストップ等を行う。ユーザが上記入力待ち（ステップＳ１８でＮｏ）の状態でスタートボタン３６をクリックする（ステップＳ１８でＹｅｓ）と、コンピュータＰＣ１で作成した文書のデータが本番出力用の出力機器ＰＴ２に出力され（ステップＳ１９）、プリントアウトが行われる。なお、ユーザが上記入力待ちの状態（ステップＳ１８でＮｏ）でステータス表示部２６に表示されている出力機器の状態などを見て出力先を変更するときには、設定内容変更ボタン３３をクリックする。これにより、図６で説明する登録編集ルーチンＳ６が実行され、出力機器の変更が行われる。また、ユーザが上記入力待ちの状態でキャンセルボタン３４をクリックすると、出力ルーチンは終了する。
【００３９】
（配信出力）
コンピュータＰＣ１で作成した文書のデータが試し出力用の出力機器ＰＴ１に出力され（ステップＳ１９）、本番出力のプリントアウトが終了すると、表示装置１４の表示画面には図８で表示されるランチャー表示２２の上に配信用のウインドウ画面（図示せず。）が表示され（ステップＳ２０）、入力待ちとなる（ステップＳ２１でＮｏ）。なお、上記の「配信出力」で誤りが発見されたときも、ユーザは、「文書修正」をクリックする。これにより、上記文書を作成した文書作成用のアプリケーションソフトウエアが立ち上がり、文書の修正が可能となる（ステップＳ２３）。修正後の上記文書を保存して該文書作成用のアプリケーションソフトウエアを終了すると、再び上記配信用のウインドウ画面に戻る。
【００４０】
上記配信用のウインドウ画面には、設定内容変更ボタン、キャンセルボタン、スタートボタン，ストップボタンが表示されている。ユーザはこれらのボタンをクリックすることにより必要な設定や配信出力のスタート、ストップ等を行う。ユーザが上記入力待ち（ステップＳ２１でＮｏ）の状態でスタートボタンをクリックする（ステップＳ２１でＹｅｓ）と、コンピュータＰＣ１で作成した文書のデータが配信出力用の出力機器ＰＴ３に出力される（ステップＳ２２）。また、ユーザが上記入力待ち（ステップＳ２１でＮｏ）の状態で上記キャンセルボタンをクリックすると、出力ルーチンは終了する。
【００４１】
このように、出力機器ＰＴ１，ＰＴ２，…へのデータ出力手順を登録しておくことにより、登録された出力先の出力機器に対して自動的に、「試し出力」、「本番出力」、「配信」が実行される。これにより、文書の出力作業の「試し出力」、「本番出力」、「配信」の各段階における試し出力先選択、本番出力先設定、配信設定の操作が不要になる。従って、ユーザが作成した文書を出力してチェック、修正、配布するときに要する作業手順が簡単化され、ユーザの出力操作の負担が大幅に削減される。
【００４２】
＜新規登録ルーチン＞
図５に示す新規登録ルーチン（ステップＳ５）は、図３で説明したメインルーチンが起動したときに、コンピュータＰＣ１からのデータの出力先の登録が済んでいないときや、図８で「新規登録」ボタン２８がクリックされたときに実行される。図５の新規登録ルーチンがスタートすると、コンピュータＰＣ１の表示装置１４の表示画面には、図１１ないし１４に示すウインドウ４１ないし４４が切換表示可能となる。ユーザは表示されたウインドウ４１ないし４４のタグ４５を切り替えながら、登録タスク、「試し出力」先、「本番出力」先、「配信」先、「登録名」を入力する。
【００４３】
ユーザによりＯＫボタン４６がクリックされる（ステップＳ３２でＹｅｓ）と、登録名に対応して設定項目を記憶し（ステップＳ３３）、リターンする。ユーザは、キャンセルボタン４７がクリックされる（ステップＳ３４でＮｏ）までは新規登録が可能である。そして、キャンセルボタン４７がクリックされる（ステップＳ３４でＹｅｓ）と新規登録ルーチンが終了する。
【００４４】
＜登録編集ルーチン＞
図６に示す登録編集ルーチン（ステップＳ６）は、図３で説明したメインルーチンが起動したときに、コンピュータＰＣ１からのデータの出力先の登録が済んでいないときや、図８で登録編集ボタン２９がクリックされたときに実行される。図６の登録編集ルーチンがスタートすると、コンピュータＰＴ１の表示装置１４の表示画面には、図１１ないし図１４に示すウインドウが切換表示可能となる。ユーザは表示されたウインドウ４１ないし４４のタグ４５を切り替えながら、登録タスク、「試し出力」先、「本番出力」先、「配信」先、「登録名」を入力する。
【００４５】
ユーザによりＯＫボタン４６がクリックされる（ステップＳ４２でＹｅｓ）と、登録名に対応して設定項目を記憶し（ステップＳ４３）、リターンする。ユーザは、キャンセルボタン４７がクリックされる（ステップＳ４４でＮｏ）までは登録が可能である。
【００４６】
【発明の効果】
以上詳述したように、本発明によれば、データ出力指示を受けるとデータ出力先制御手段がデータ出力先記憶手段に記憶された設定内容に従ってデータ出力先にデータを出力するので、データの出力作業に伴う出力手段の選択が不要になり、データの出力作業の負担が軽減され、使い勝手が大幅に向上する。
【００４７】
また、本発明によれば、第１のデータ出力先にデータを出力した後、データ出力を一旦停止の際に、改めて第２のデータ出力先を設定することができるので、第２のデータ出力先として先に設定しておいた出力先が他のコンピュータにより使用されているようなときには、改めて第２のデータ出力先を設定することができ、第２のデータ出力先へのデータ出力の待ち時間を節約することができ、本番出力の際のデータ出力作業を大幅に効率化することができる。
【００４８】
さらに、本発明によれば、データ出力先記憶手段に記憶されている複数組のデータ出力先の組のなかから、所望の組を選択することができるので、ユーザは最も都合のよい出力手段を選択することにより、目的に合致したデータ出力機器を選択して効率よく所望の出力結果を得ることができる。
【００４９】
さらにまた、本発明によれば、第１のデータ出力先と第２のデータ出力先として同一のデータ出力手段を設定することができるので、ユーザは都合のよい同じデータ出力手段を使用してデータ出力を行うことができ、データ出力先を移動することなくデータ出力作業を行うことができ、データ出力作業の効率化を図ることができる。
【００５０】
さらにまた、本発明によれば、第２のデータ出力先として複数のデータ出力手段を選択して設定しておけば、コンピュータネットワーク上でユーザが予め選択したデータ出力手段からデータを取り出すことができ、文書配布の手間を削減することができる。
【００５１】
さらにまた、本発明によれば、データ出力の一旦停止の際に、ユーザが都合により以後のデータ出力を望まないときには、以後のデータ出力動作をキャンセルすることができるので、不要なデータ出力をなくすことができ、用紙等の無駄をなくすことができる。
【００５２】
さらにまた、本発明によれば、データ出力の一旦停止の際に、ユーザがデータの修正を必要とするときには、出力するデータを修正して所望のデータを出力することができるので、データ修正を効率よく行える。
【図面の簡単な説明】
【図１】  本発明に係るデータ出力制御システムが動作するネットワーク環境の説明図である。
【図２】  本発明に係るデータ出力制御システムのシステム構成図である。
【図３】  図２のデータ出力制御システムのメインルーチンのフローである。
【図４】  図２のデータ出力制御システムのデータ出力ルーチンのフローである。
【図５】  図２のデータ出力制御システムの新規登録ルーチンのフローである。
【図６】  図２のデータ出力制御システムの登録編集ルーチンのフローである。ある。
【図７】  ランチャーの表示画面の説明図である。
【図８】  基本画面の表示例の説明図である。
【図９】  試し出力のウインドウ画面の説明図である。
【図１０】  本番出力のウインドウ画面の説明図である。
【図１１】  登録ステップにおける登録タスクの画面表示例を示す説明図である。
【図１２】  登録ステップにおける試し出力登録の画面表示例である。
【図１３】  登録ステップにおける本番出力登録の画面表示例である。
【図１４】  登録ステップにおける配信出力登録の画面表示例である。
【符号の説明】
１  コンピュータネットワーク
１１  中央処理装置
１２  主記憶装置
１３  入力装置
１４  表示装置
２１  リストボックス
２３  試し出力指示用アイコン
２４  本番出力指示用アイコン
２５  配信指示用アイコン
２６  ステータス表示部
２７  出力機器選択ボタン
２８  新規登録ボタン
２９  登録編集ボタン
ＰＴ１〜ＰＴ３  出力機器
ＰＣ１，ＰＣ２  パソコン
【図１】
0004232282.tif 000002
【図２】
0004232282.tif 000003
【図３】
0004232282.tif 000004
【図４】
0004232282.tif 000005
【図５】
0004232282.tif 000006
【図６】
0004232282.tif 000007
【図７】
0004232282.tif 000008
【図８】
0004232282.tif 000009
【図９】
0004232282.tif 000010
【図１０】
0004232282.tif 000011
【図１１】
0004232282.tif 000012
【図１２】
0004232282.tif 000013
【図１３】
0004232282.tif 000014
【図１４】
0004232282.tif 000015